(57)【要約】【課題】本発明は、蓄光顔料インキの持つ残光性能を継続的に著しく向上・安定させると共に環境への影響がなく、しかも廃棄時の分別が容易で衝撃耐性に優れた残光性多目的スティックライトを提供する。【解決手段】残光性多目的スティックライト１０のケース本体１２の蓄光顔料塗布シート収容ケース部１４には蓄光顔料塗布シート１８が挿入されている。この蓄光顔料塗布シート１８には蓄光顔料インキ２２が塗布されている。前記ケース本体１２のＬＥＤランプ装置収容ケース部１６にはＬＥＤランプ装置２４が嵌入されて設置されている。このＬＥＤランプ装置２４を構成するスイッチ本体２６は特殊高発砲ポリエチレンで立体的に形成され、先端面２６Ａには特殊紫外線光ＬＥＤランプ２８が取り付けられている。【選択図】　　図１
2004119212.tif 000002
【特許請求の範囲】
【請求項１】
蓄光顔料インキの性能を維持するために紫外線光ＬＥＤランプを用いたことを特徴とする残光性多目的スティックライト。
【請求項２】
前記紫外線光ＬＥＤランプのスイッチ本体に金具を用いないようにしたことを特徴とする請求項１記載の残光性多目的スティックライト。
【請求項３】
耐衝撃性を有することを特徴とする請求項１、請求項２記載の残光性多目的スティックライト。
【発明の詳細な説明】
【０００１】
【発明の属する技術分野】
本発明は、紫外線光ＬＥＤランプを用いて、蓄光顔料インキの持つ残光性能で発光するペンライト等の残光性多目的スティックライトに関するものである。
【０００２】
【従来の技術】
蓄光顔料インキの利用は実質的な輝度不足（薄暗い）や自身の輝度を失う減衰作用（一定の励起状態から経時により徐々に輝度が減衰し、基底状態に戻る）等が理由となり、主利用が困難なため用途的制約を受けざるを得ず、刀剣玩具等に代表されるような他光源を利用したものへの副次的役割として利用されているにとどまっている。
ところで、コンサート会場等では会場の雰囲気を盛り上げるためにペンライト等のスティックライトが多く使用されているが、スティックライトとしては２液反応によるケミカルライトやＬＥＤ（発光ダイオード），ＥＬ（エレクトロルミネッセンス）等を用いたものが提案されている。
前記ケミカルライトは２液を混ぜることにより非常に簡易に化学反応を起し、自身が自己発光をするものであり、非常に広範囲にペンライト等のスティックライトに利用されている。
しかし、ケミカルライトは自身の反応要素に対して、近年、環境への影響が指摘、憂慮されている。
また、前記ＬＥＤ，ＥＬ等を用いたスティックライトの多くにおいてはスイッチ金具や配線基板、プラスチック等が使用されるので廃棄処分する場合の分別が困難であると共にプラスチック成型加工等の硬質成型品が多く、衝撃耐性の面で壊れ易い等の不具合を有している。
【０００３】
【発明が解決しようとする課題】
本発明は、前述の如き事実に鑑みなされたものであり、蓄光顔料インキの持つ残光性能（暗所に於ける残光輝度の視認性、及び経時に於ける減衰作用による残光時間）を継続的に著しく向上・安定させると共に環境に配慮した分別廃棄の容易な残光性多目的スティックライトを提供するものである。
【０００４】
【課題を解決する手段】
請求項１の発明は、蓄光顔料インキの性能を維持するために紫外線光ＬＥＤランプを用いたことを特徴としている。
請求項２の発明は、前記紫外線光ＬＥＤランプのスイッチ本体に金具を用いないようにしたことを特徴としている。
請求項３の発明は、耐衝撃性を有することを特徴としている。
【０００５】
【発明の実施の形態】
図１〜図４には本発明に係る残光性多目的スティックライトの一実施例が示されている。
図１に示される残光性多目的スティックライト１０の円筒状のケース本体１２はポリプロピレン素材で形成されているため、軽量で高い耐久性を有している。また、このケース本体１２は蓄光顔料塗布シート収容ケース部１４とＬＥＤランプ装置収容ケース部１６とから構成され、蓄光顔料塗布シート収容ケース部１４の基端部１４ＡをＬＥＤランプ装置収容ケース部１６の先端部１６Ａに差し込んで着脱可能に嵌合できるようになっている。
図２に示されるように、前記蓄光顔料塗布シート収容ケース部１４には矩形状の蓄光顔料塗布シート１８を円筒状に丸めて挿入するようになっている。また、蓄光顔料塗布シート１８の上端には円形片１８Ａが連続形成され、蓄光顔料塗布シート１８を蓄光顔料塗布シート収容ケース部１４に挿入させた際に円形片１８Ａが前記蓄光顔料塗布シート収容ケース部１４の先端面１４Ｂに対応できるようになっている。
前記蓄光顔料塗布シート１８は透明ポリエチレンテレフタレートフィルム２０の内側面２０Ａに蓄光顔料インキ２２を塗布して形成されている。この実施例では蓄光顔料インキ２２として東京資料印書（株）が開発した蓄光顔料である商品名「ＢＲＩＧＨＴＥＸ」（特許出願中）を基にして改良した蓄光顔料インキを使用している。前記「ＢＲＩＧＨＴＥＸ」は高輝度タイプの蓄光顔料インキであり、前記東京資料印書（株）の商品カタログデータによると短時間照射発光、高輝度、長時間残光（残光時間は徐々に減衰しながらも２０〜３０時間程度）、半永久反復発光、高耐光性という性質を有している。
前記蓄光顔料インキ２２は発光体の励起波長が後述する特殊紫外線光ＬＥＤランプの紫外線光の波長である３９０ｎｍに近づくように前記「ＢＲＩＧＨＴＥＸ」を改良してなるものである。この実施例では前記蓄光顔料インキ２２はシルクスクリーン印刷で３００〜５００μの厚みで透明ポリエチレンテレフタレートフィルム２０の内側面２０Ａに均一塗布されている。
また、前記透明ポリエチレンテレフタレートフィルム２０には文字や絵柄等が印刷されるようになっている（この実施例では「交通安全」の文字が印刷されている（図１参照））。
前記ＬＥＤランプ装置収容ケース部１６にはＬＥＤランプ装置２４が嵌入されて安定設置されるようになっている。このＬＥＤランプ装置２４を構成するスイッチ本体２６は図３に示されるように特殊高発砲ポリエチレンで立体的に形成されている。しかも、スイッチ本体２６は特殊高発砲ポリエチレンで形成されているため、軽量で弾性、緩衝性を有し、絶縁性が高いという性質を有している。
図３及び図４に示されるように、前記スイッチ本体２６の先端面２６Ａには特殊紫外線光ＬＥＤランプ２８が取り付けられている。この実施例で使用される特殊紫外線光ＬＥＤランプ２８はアメリカ合衆国製の特殊紫外線光ＬＥＤランプで、放射される紫外線光の波長が平均３９０ｎｍと安定した光源であり、前記蓄光顔料インキ２２の励起波長に近いものである。
図４に示されるように、前記特殊紫外線光ＬＥＤランプ２８の端子３０，３０は前記スイッチ本体２６の先端面２６Ａから差し込まれてスイッチ本体２６に貫通形成された電池収容部３２の内側面に延設されている。
また、前記端子３０，３０の間で電池収容部３２には電池支持具３４が挿入されている。この電池支持具３４は約２００μの厚みのポリエチレンテレフタレートフィルムを側面視コ字形状に折り曲げて形成されているため、電池支持具３４の支持片３４Ａ，３４Ａは図４矢印方向に広がろうとする応力を有している。
図３に示されるように、前記電池収容部３２の内側で前記電池支持具３４の支持片３４Ａ，３４Ａの間には図３矢印方向に円板状の２枚のボタン電池３６，３６を挿入することにより、これらボタン電池３６，３６は重なった状態で収容されるようになっている。
従って、前記ＬＥＤランプ装置収容ケース部１６の上からスイッチ本体２６を加圧しないと前記支持片３４Ａ，３４Ａの図４矢印方向に広がろうとする応力で端子３０，３０がボタン電池３６，３６に密着当接するのを阻止されて特殊紫外線光ＬＥＤランプ２８は点灯しないが、ＬＥＤランプ装置収容ケース部１６を握る等してスイッチ本体２６を加圧すると特殊紫外線光ＬＥＤランプ２８の端子３０，３０が前記ボタン電池３６，３６に密着当接するため特殊紫外線光ＬＥＤランプ２８が点灯するようになっている。
図３及び図４に示されるように、前記スイッチ本体２６の先端面２６Ａには特殊紫外線光ＬＥＤランプ２８を囲むように透明フィルムで形成された透明フィルム筒体４０が設けられている。この透明フィルム筒体４０は基端部４０Ａに比べて上端部４０Ｂが少し大径に形成されている。
また、透明フィルム筒体４０の外側面には銀アルミ蒸着フィルム部４４が形成され、特殊紫外線光ＬＥＤランプ２８の紫外線光を余すことなく透明フィルム筒体４０に集光できるようになっている。
【０００６】
次に、前記実施例の残光性多目的スティックライト１０の作用について説明する。
残光性多目的スティックライト１０の特殊紫外線光ＬＥＤランプ２８を点灯させる場合は、前記ＬＥＤランプ装置収容ケース部１６の上からスイッチ本体２６を握る等してスイッチ本体２６を加圧すると特殊紫外線光ＬＥＤランプ２８の端子３０，３０が前記ボタン電池３６，３６に密着当接するため特殊紫外線光ＬＥＤランプ２８から紫外線が放射されて特殊紫外線光ＬＥＤランプ２８が点灯する。
特殊紫外線光ＬＥＤランプ２８が点灯すると前記銀アルミ蒸着フィルム部４４が特殊紫外線光ＬＥＤランプ２８の紫外線光を余すことなく透明フィルム筒体４０に集光させると共に透明フィルム筒体４０が導光的役割を果たすため特殊紫外線光ＬＥＤランプ２８からの紫外線光を蓄光顔料塗布シート１８に塗布された蓄光顔料インキ２２が吸収して蓄光顔料インキ２２の発光体の励起を促し蓄光顔料インキ２２が発光するので、残光性多目的スティックライト１０を暗所で視認することができる。
しかも、前記蓄光顔料インキ２２は高輝度タイプの蓄光顔料インキであり、高輝度で長時間残光という性質を有しているので、前記特殊紫外線光ＬＥＤランプ２８を消灯しても蓄光顔料塗布シート１８に塗布された蓄光顔料インキ２２による残光発光によって暗所で残光性多目的スティックライト１０を長時間視認することができる。また、この場合の輝度感は、従来のバックライト効果を利用した蓄光顔料インキとは比べものにならない「ライティング」形態である。
この結果、従来困難であった蓄光顔料インキを主利用した高輝度で残光時間の長いスティックライトを提供することが可能となる。
なお、特殊紫外線光ＬＥＤランプ２８の点灯により紫外線光を蓄光顔料塗布シート１８に塗布された蓄光顔料インキ２２に吸収させなくても、例えば太陽光に残光性多目的スティックライト１０を当てて太陽光の一定の紫外線光を吸収させるようにすれば前記蓄光顔料インキ２２による残光発光によって暗所で残光性多目的スティックライト１０を長時間視認することが可能であり、必然的に初期励起が不要となる。
また、前記残光性多目的スティックライト１０のケース本体１２はポリプロピレン素材で形成され、スイッチ本体２６は特殊高発泡ポリエチレンで形成されているため、残光性多目的スティックライト１０を誤って落下させてしまっても落下衝撃は吸収され、成型品であれば壊れてしまうような衝撃にも耐えることができる。なお、出願人は地上高さ概ね１．５ｍからコンクリート部位に残光性多目的スティックライト１０を落下させる落下試験を行ったが、１０サンプル全てが５０回の落下試験にて破損することなく、落下試験後の点灯試験に合格した。
また、残光性多目的スティックライト１０は蓄光顔料塗布シート収容ケース部１４、ＬＥＤランプ装置収容ケース部１６、蓄光顔料塗布シート１８、スイッチ本体２６にブロック化された構造であると共にスイッチ本体２６には金具や複雑な回路は用いられていないので、迅速かつ容易に分別することができて廃棄処分の分別処理を容易に行うことができると共にメンテナンスも容易に行うことができる。
【０００７】
なお、前記実施例では「交通安全」の文字を印刷した透明ポリエチレンテレフタレートフィルム２０を有する蓄光顔料塗布シート１８を用いたが、図５に示されるように透明ポリエチレンテレフタレートフィルム２０には文字や絵柄を印刷せずに蓄光顔料塗布シート収容ケース部１４と蓄光顔料塗布シート１８の間に文字や絵柄等を印刷、手書きしたフィルムセル・ネガ４８や印刷物等を収容するようにしてもよい。
この場合、前記フィルムセル・ネガ４８や印刷物等を交換するだけの簡単な作業で異なった文字や絵柄を発光させることができる残光性多目的スティックライト１０を提供することができる。
【０００８】
なお、前記残光性多目的スティックライト１０はペンライトや交通整理等の案内ライト等、多目的に使用することができるものであり、その使用目的は限定されないことは勿論である。
また、実施例では放射される紫外線光の波長が平均３９０ｎｍという特殊紫外線光ＬＥＤランプ２８を用いると共に前記蓄光顔料インキ２２の波長もそれに対応させるべく平均３９０ｎｍに近い励起波長に改良した蓄光顔料インキ２２を使用したが、特殊紫外線光ＬＥＤランプ２８及び蓄光顔料インキの紫外線光の波長は３９０ｎｍに限定されるものでないことは勿論である。
【０００９】
【発明の効果】
本発明の残光性多目的スティックライトは、蓄光顔料インキを利用したものであるため環境への影響がないと共に軽量で衝撃に強く耐久性にも優れているという効果を有している。
また、本発明の残光性多目的スティックライトは、ブロック化されていると共にスイッチ本体に金具が使用されておらず複雑な回路も設けられていないためメンテナンスが容易であり、また、廃棄時における分別を容易に行うことができるという優れた効果を有する。
【図面の簡単な説明】
【図１】実施例の残光性多目的スティックライトの全体図である。
【図２】実施例の残光性多目的スティックライトの分解斜視図である。
【図３】実施例の残光性多目的スティックライトのＬＥＤランプ装置の一部分解斜視図である。
【図４】実施例の残光性多目的スティックライトのＬＥＤランプ装置の縦断面図である。
【図５】変形例の残光性多目的スティックライトの分解斜視図である。
【符号の説明】
１０　　残光性多目的スティックライト
１２　　ケース本体
１４　　蓄光顔料塗布シート収容ケース部
１６　　ＬＥＤランプ装置収容ケース部
１８　　蓄光顔料塗布シート
２２　　蓄光顔料インキ
２４　　ＬＥＤランプ装置
２６　　スイッチ本体
２８　　特殊紫外線光ＬＥＤランプ
３０　　端子部
３２　　電池収容部
３４　　電池支持具
３６　　ボタン電池
４０　　透明フィルム筒体
４４　　銀アルミ蒸着フィルム部
【図１】
2004119212.tif 000003
【図２】
2004119212.tif 000004
【図３】
2004119212.tif 000005
【図４】
2004119212.tif 000006
【図５】
2004119212.tif 000007